(57)【要約】      （修正有）【課題】設置工程及び設置時間を減らしながら、コンクリート製の部材を的確且つ強固に接合することが可能なコンクリート部材の接合構造を提供する。【解決手段】第１コンクリート部２ａ及び第１コンクリート部２ａから突出して形成される接合部３を有する第１部材２と、第２コンクリート部４ａ及び第２コンクリート部４ａから突出して形成される被接合部５を有する第２部材４と、接合部３と被接合部５の少なくとも一部を含むように充填される接合充填部７と、を備え、接合部３は、一部に接合ループ部が形成され、また被接合部は、一部に被接合ループ部が形成され、接合充填部７内において、接合ループ部が第１コンクリート部２ａから突出する第１突出方向と被接合ループ部が第２コンクリート部４ａから突出する第２突出方向は、接合ループ部及び被接合ループ部のうち少なくとも１つが形成する仮想面に直交する方向から見て、交差する接合構造とする。【選択図】図１
2020084596.tif 000002
【特許請求の範囲】
【請求項１】
第１コンクリート部及び少なくとも一部が前記第１コンクリート部から突出して形成される接合部を有する第１部材と、
第２コンクリート部及び少なくとも一部が前記第２コンクリート部から突出して形成される被接合部を有する第２部材と、
前記接合部と前記被接合部の少なくとも一部を含むように充填される接合充填部と、
を備え、
前記接合部は、少なくとも一部に接合ループ部が形成され、
前記被接合部は、少なくとも一部に被接合ループ部が形成され、
前記接合充填部内において、
前記接合ループ部が前記第１コンクリート部から突出する第１突出方向と前記被接合ループ部が前記第２コンクリート部から突出する第２突出方向は、前記接合ループ部及び前記被接合ループ部のうち少なくとも１つが形成する仮想面に直交する方向から見て、交差する
ことを特徴とするコンクリート部材の接合構造。
【請求項２】
前記接合部の前記接合ループ部が形成する仮想面と前記被接合部の前記被接合ループ部が形成する仮想面は、それぞれ並列する
ことを特徴とする請求項１に記載のコンクリート部材の接合構造。
【請求項３】
前記接合部は、少なくとも１組の近接側接合部及び遠隔側接合部を有し、
前記近接側接合部は、前記遠隔側接合部よりも前記第２部材に近い側で少なくとも一部に近接側接合ループ部が形成され、
前記遠隔側接合部は、少なくとも一部に遠隔側接合ループ部が形成され、
前記接合充填部内において、
前記近接側接合ループ部及び前記遠隔側接合ループ部が前記第１コンクリート部から突出する第１突出方向と前記被接合ループ部が前記第２コンクリート部から突出する第２突出方向は、前記近接側接合ループ部、前記遠隔側接合ループ部及び前記被接合ループ部のうち少なくとも１つが形成する仮想面に直交する方向から見て、交差する
ことを特徴とする請求項１又は２に記載のコンクリート部材の接合構造。
【請求項４】
前記近接側接合ループ部と前記遠隔側接合ループ部は、面一に配置される
ことを特徴とする請求項３に記載のコンクリート部材の接合構造。
【請求項５】
前記第１突出方向と前記第２突出方向は、直交する
ことを特徴とする請求項１乃至４のいずれか１つに記載のコンクリート部材の接合構造。
【請求項６】
前記接合部及び前記被接合部に交差するように設置される交差部を備える
ことを特徴とする請求項１乃至５のいずれか１つに記載のコンクリート部材の接合構造。
【請求項７】
前記第１部材は、梁コンクリート部及び前記接合部を有する梁であり、
前記第２部材は、スラブコンクリート部及び前記被接合部を有するスラブであって、
前記接合ループ部は、前記梁コンクリート部の上面から突出して形成され、  前記被接合ループ部は、前記スラブコンクリート部の側面から突出して形成される
ことを特徴とする請求項１乃至６のいずれか１つに記載のコンクリート部材の接合構造。
【請求項８】
梁コンクリート部及び前記梁コンクリート部の上面から突出して形成される第１接合部及び第２接合部を有する梁と、
第１スラブコンクリート部及び前記第１スラブコンクリート部から突出して形成される第１被接合部を有する第１スラブと、
第２スラブコンクリート部及び前記第２スラブコンクリート部から突出して形成される第２被接合部を有する第２スラブと、
前記第１接合部と前記第１被接合部の少なくとも一部を含むように充填される第１接合充填部と、
前記第２接合部と前記第２被接合部の少なくとも一部を含むように充填される第２接合充填部と、
を備え、
前記第１接合部は、少なくとも１組の第１近接側接合部及び第１遠隔側接合部を有し、
前記第１近接側接合部は、前記第１遠隔側接合部よりも前記第１スラブに近い側で少なくとも一部に第１近接側接合ループ部が形成され、
前記第１遠隔側接合部は、少なくとも一部に第１遠隔側接合ループ部が形成され、
前記第２接合部は、少なくとも１組の第２近接側接合部及び第２遠隔側接合部を有し、
前記第２近接側接合部は、前記第２遠隔側接合部よりも前記第２スラブに近い側で少なくとも一部に第２近接側接合ループ部が形成され、
前記第２遠隔側接合部は、少なくとも一部に第２遠隔側接合ループ部が形成され、
前記第１被接合部は、少なくとも一部に第１被接合ループ部が形成され、
前記第２被接合部は、少なくとも一部に第２被接合ループ部が形成され、
前記第１接合充填部内において、
前記第１近接側接合ループ部及び前記第１遠隔側接合ループ部が前記梁コンクリート部から突出する第１突出方向と前記第１被接合ループ部が前記第１スラブコンクリート部から突出する第２突出方向は、前記第１近接側接合ループ部、前記第１遠隔側接合ループ部及び前記第１被接合ループ部のうち少なくとも１つが形成する仮想面に直交する方向から見て、直交し、
前記第１近接側接合ループ部及び前記第１遠隔側接合ループ部と前記第１被接合ループ部がそれぞれ並列し、
前記第２接合充填部内において、
前記第２近接側接合ループ部及び前記第２遠隔側接合ループ部が前記梁コンクリート部から突出する第１突出方向と前記第２被接合ループ部が前記第２スラブコンクリート部から突出する第３突出方向は、前記第２近接側接合ループ部、前記第２遠隔側接合ループ部及び前記第２被接合ループ部のうち少なくとも１つが形成する仮想面に直交する方向から見て、直交し、
前記第２近接側接合ループ部及び前記第２遠隔側接合ループ部と前記第２被接合ループ部がそれぞれ並列する
ことを特徴とするコンクリート部材の接合構造。
【請求項９】
前記第１近接側接合ループ部、前記第１遠隔側接合ループ部、前記第２近接側接合ループ部及び前記第２遠隔側接合ループ部は、面一に設置され、
前記第１被接合ループ部と前記第２被接合ループ部は、面一に設置される
ことを特徴とする請求項６に記載のコンクリート部材の接合構造。
【請求項１０】
前記梁に前記第１スラブを設置し、前記第１接合充填部が充填された後、
前記梁に前記第２スラブを設置し、前記第２接合充填部を充填する
ことを特徴とする請求項６又は７に記載のコンクリート部材の接合構造を用いたコンクリート部材の接合方法。
【発明の詳細な説明】
【技術分野】
【０００１】
本発明は、コンクリート製の梁や柱等の接合に用いられるコンクリート部材の接合構造及びそれを用いたコンクリート部材の接合方法に関する。
【背景技術】
【０００２】
従来、コンクリート製の梁や柱等を接合する場合、鉄筋の継手が突出したコンクリート製の部材を対向させ、コンクリート製の部材の間で継手の周囲にコンクリートを充填する構造が開示されている（特許文献１参照）。特許文献１に記載された技術は、コンクリート部材から突出した接合鉄筋に補強鉄筋を密着かつ重合配置している。
【先行技術文献】
【特許文献】
【０００３】
【特許文献１】特許５００４８８０号公報
【発明の概要】
【発明が解決しようとする課題】
【０００４】
しかしながら、特許文献１に記載された技術は、コンクリート部材から突出した接合鉄筋に対して、接合鉄筋とは別の補強鉄筋を接合鉄筋と平行に密着かつ重合配置させている。したがって、対向する接合鉄筋同士は重合配置しておらず、部材が多くなり、設置するための工程及び時間も増えてしまう。また、特許文献１に記載された技術は、コンクリート部材の接合方向が一方向に限定され、部材が交差する部位へ適用できないという問題がある。
【０００５】
本発明の一実施形態の目的は、このような問題点を解決するためになされたものであり、設置工程及び設置時間を減らしながら、コンクリート製の部材を的確且つ強固に接合することが可能なコンクリート部材の接合構造及びそれを用いたコンクリート部材の接合方法を提供することである。また、本発明の一実施形態の目的は、接合部の突出方向を交差させ、鉛直方向と水平方向に部材の接合を可能とすることにより、設計及び施工の自由度を向上させることが可能なコンクリート部材の接合構造及びそれを用いたコンクリート部材の接合方法を提供することである。
【課題を解決するための手段】
【０００６】
本実施形態のコンクリート部材の接合構造は、
第１コンクリート部及び少なくとも一部が前記第１コンクリート部から突出して形成される接合部を有する第１部材と、
第２コンクリート部及び少なくとも一部が前記第２コンクリート部から突出して形成される被接合部を有する第２部材と、
前記接合部と前記被接合部の少なくとも一部を含むように充填される接合充填部と、
を備え、
前記接合部は、少なくとも一部に接合ループ部が形成され、
前記被接合部は、少なくとも一部に被接合ループ部が形成され、
前記接合充填部内において、
前記接合ループ部が前記第１コンクリート部から突出する第１突出方向と前記被接合ループ部が前記第２コンクリート部から突出する第２突出方向は、前記接合ループ部及び前記被接合ループ部のうち少なくとも１つが形成する仮想面に直交する方向から見て、交差する
ことを特徴とする。
【０００７】
本実施形態のコンクリート部材の接合構造は、
前記接合部の前記接合ループ部が形成する仮想面と前記被接合部の前記被接合ループ部が形成する仮想面は、それぞれ並列する
ことを特徴とする。
【０００８】
本実施形態のコンクリート部材の接合構造は、
前記接合部は、少なくとも１組の近接側接合部及び遠隔側接合部を有し、
前記近接側接合部は、前記遠隔側接合部よりも前記第２部材に近い側で少なくとも一部に近接側接合ループ部が形成され、
前記遠隔側接合部は、少なくとも一部に遠隔側接合ループ部が形成され、
前記接合充填部内において、
前記近接側接合ループ部及び前記遠隔側接合ループ部が前記第１コンクリート部から突出する第１突出方向と前記被接合ループ部が前記第２コンクリート部から突出する第２突出方向は、前記近接側接合ループ部、前記遠隔側接合ループ部及び前記被接合ループ部のうち少なくとも１つが形成する仮想面に直交する方向から見て、交差する
ことを特徴とする。
【０００９】
本実施形態のコンクリート部材の接合構造では、
前記近接側接合ループ部と前記遠隔側接合ループ部は、面一に配置される
ことを特徴とする。
【００１０】
本実施形態のコンクリート部材の接合構造では、
前記第１突出方向と前記第２突出方向は、直交する
ことを特徴とする。
【００１１】
本実施形態のコンクリート部材の接合構造では、
前記接合部及び前記被接合部に交差するように設置される交差部を備える
ことを特徴とする。
【００１２】
本実施形態のコンクリート部材の接合構造は、
前記第１部材は、梁であり、
前記第１コンクリート部は、梁コンクリート部からなり、
前記第２部材は、スラブであり、
前記第２コンクリート部は、スラブコンクリート部からなり、
前記接合ループ部は、前記梁コンクリート部の上面から突出して形成され、  前記被接合ループ部は、前記スラブコンクリート部の側面から突出して形成される
ことを特徴とする。
【００１３】
本実施形態のコンクリート部材の接合構造は、
前記接合部は、少なくとも第１接合部及び第２接合部を有し、
前記スラブは、少なくとも第１スラブ及び第２スラブを有し、
前記第１スラブは、第１スラブコンクリート部及び前記第１スラブコンクリート部から突出して形成される第１被接合部を有し、
前記第２スラブは、第２スラブコンクリート部及び前記第２スラブコンクリート部から突出して形成される第２被接合部を有し、
前記第１接合部と前記第１被接合部の少なくとも一部を含むように充填される第１接合充填部と、
前記第２接合部と前記第２被接合部の少なくとも一部を含むように充填される第２接合充填部と、
を備え、
前記第１接合部は、少なくとも１組の第１近接側接合部及び第１遠隔側接合部を有し、
前記第１近接側接合部は、前記第１遠隔側接合部よりも前記第１スラブに近い側で少なくとも一部に第１近接側接合ループ部が形成され、
前記第１遠隔側接合部は、少なくとも一部に第１遠隔側接合ループ部が形成され、
前記第２接合部は、少なくとも１組の第２近接側接合部及び第２遠隔側接合部を有し、
前記第２近接側接合部は、前記第２遠隔側接合部よりも前記第２スラブに近い側で少なくとも一部に第２近接側接合ループ部が形成され、
前記第２遠隔側接合部は、少なくとも一部に第２遠隔側接合ループ部が形成され、
前記第１被接合部は、少なくとも一部に第１被接合ループ部が形成され、
前記第２被接合部は、少なくとも一部に第２被接合ループ部が形成され、
前記第１接合充填部内において、
前記第１近接側接合ループ部及び前記第１遠隔側接合ループ部が前記梁コンクリート部から突出する第１突出方向と前記第１被接合ループ部が前記第１スラブコンクリート部から突出する第２突出方向は、前記第１近接側接合ループ部、前記第１遠隔側接合ループ部及び前記第１被接合ループ部のうち少なくとも１つが形成する仮想面に直交する方向から見て、直交し、
前記第１近接側接合ループ部及び前記第１遠隔側接合ループ部と前記第１被接合ループ部がそれぞれ並列し、
前記第２接合充填部内において、
前記第２近接側接合ループ部及び前記第２遠隔側接合ループ部が前記梁コンクリート部から突出する第１突出方向と前記第２被接合ループ部が前記第２スラブコンクリート部から突出する第３突出方向は、前記第２近接側接合ループ部、前記第２遠隔側接合ループ部及び前記第２被接合ループ部のうち少なくとも１つが形成する仮想面に直交する方向から見て、直交し、
前記第２近接側接合ループ部及び前記第２遠隔側接合ループ部と前記第２被接合ループ部がそれぞれ並列する
ことを特徴とする。
【００１４】
本実施形態のコンクリート部材の接合構造は、
前記第１近接側接合ループ部、前記第１遠隔側接合ループ部、前記第２近接側接合ループ部及び前記第２遠隔側接合ループ部は、面一に設置され、
前記第１被接合ループ部と前記第２被接合ループ部は、面一に設置される
ことを特徴とする。
【００１５】
本実施形態のコンクリート部材の接合構造を用いたコンクリート部材の接合方法は、
前記梁に前記第１スラブを設置し、前記第１接合充填部が充填された後、
前記梁に前記第２スラブを設置し、前記第２接合充填部を充填する
ことを特徴とする。
【発明の効果】
【００１６】
本発明に係る一実施形態によれば、設置工程及び設置時間を減らしながら、コンクリート製の部材を的確且つ強固に接合することが可能となる。また、本発明に係る一実施形態によれば、接合部の突出方向を交差させ、鉛直方向と水平方向に部材の接合を可能とすることにより、設計及び施工の自由度を向上させることが可能となる。
【図面の簡単な説明】
【００１７】
【図１】第１実施形態のコンクリート部材の接合構造の接合充填部充填後の状態を示す。
【図２】第１実施形態のコンクリート部材の接合構造の接合充填部充填前の状態を示す。
【図３】第２実施形態のコンクリート部材の接合構造の接合充填部充填後の状態を示す。
【図４】第２実施形態のコンクリート部材の接合構造の接合充填部充填前の状態を示す。
【図５】本実施形態のコンクリート部材の接合構造のスラブ設置後の状態を示す。
【図６】本実施形態のコンクリート部材の接合構造の接合充填部充填後の状態を示す。
【図７】本実施形態のコンクリート部材の接合構造の第１スラブ設置後の状態を示す。
【図８】本実施形態のコンクリート部材の接合構造の第１接合充填部充填後の状態を示す。
【図９】本実施形態のコンクリート部材の接合構造の第２スラブ設置後の状態を示す。
【図１０】本実施形態のコンクリート部材の接合構造の第２接合充填部充填後の状態を示す。
【発明を実施するための形態】
【００１８】
以下、本発明に係る実施形態のコンクリート部材の接合構造及びコンクリート部材の接合方法について説明する。
【００１９】
図１は、第１実施形態のコンクリート部材の接合構造１の接合充填部７充填後の状態を示す。
【００２０】
第１実施形態のコンクリート部材の接合構造１は、第１コンクリート部２ａ及びループの閉じた部分が第１コンクリート部２ａから突出して形成される接合部３を有する第１部材２と、第２コンクリート部４ａ及びループの閉じた部分が第２コンクリート部４ａから突出して形成される被接合部５を有する第２部材４と、接合部３と被接合部５の少なくとも一部を含むように充填される接合充填部７と、を備える。
【００２１】
また、図１に示す例では、コンクリート部材の接合構造１は、接合部３及び被接合部５に交差するように設置される交差部６を備える。なお、接合部３は、第１コンクリート部２ａの内部で図示しない鉄筋等の剛性部材と接合されていると好ましい。また、被接合部５は、第２コンクリート部４ａの内部で図示しない鉄筋等の剛性部材と接合されていると好ましい。
【００２２】
第１部材２は、第１コンクリート部２ａから接合部３の一部を突出させて形成される。接合部３は、鉄筋等の高剛性の部材からなる。図１に示す例では、第１コンクリート部２ａから上方に突出する５組の接合部３を有する。
【００２３】
接合部３は、少なくとも一部に接合ループ部３ａが形成され、接合ループ部３ａが第１コンクリート部２ａから突出する。接合ループ部３ａで形成される仮想面は、上方から見て、平行に設置されると好ましい。
【００２４】
なお、本発明に係る実施形態の説明中、平行とは完全に平行な場合及び多少ずれていて略平行な場合も含むこととする。
【００２５】
ここで、ループとは、第１コンクリート部２ａから突出し、所定の位置で折り曲げられ、所定の位置で第１コンクリート部２ａ内に向かう形状である。各接合ループ部３ａ１は、第１コンクリート部２ａから露出した部分を示す。各接合ループ部３ａ１以外の接合部３は、第１コンクリート部２ａ内に設置される。また、各接合ループ部３ａ１が第１コンクリート部２ａから突出する方向を第１突出方向Ａとする。各接合ループ部３ａの第１突出方向Ａは、平行であると好ましい。
【００２６】
第２部材４は、第２コンクリート部４ａから被接合部５の一部を突出させて形成される。被接合部５は、鉄筋等の高剛性の部材からなる。被接合部５は、少なくとも一部に被接合ループ部５ａが形成され、被接合ループ部５ａが第２コンクリート部４ａから突出する。図１に示す例では、被接合部５は、第２コンクリート部４ａから側方に突出する６組の被接合ループ部５ａを有する。
【００２７】
ここで、ループとは、第２コンクリート部４ａから突出し、所定の位置で折り曲げられ、所定の位置で第２コンクリート部４ａ内に向かう形状である。被接合ループ部５ａは、第２コンクリート部４ａから露出した部分を示す。被接合ループ部５ａ以外の被接合部５は、第２コンクリート部４ａ内に設置される。また、被接合ループ部５ａが第２コンクリート部４ａから突出する方向を第２突出方向Ｂとする。
【００２８】
さらに、近接側接合ループ部３ａ１及び遠隔側接合ループ部３ｂ１の第１突出方向Ａと被接合ループ部５ａの第２突出方向Ｂは、図１（ｂ）に示すように、接合ループ部３ａ及び被接合ループ部５ａのうち少なくとも１つが形成する仮想面に対して直交する方向から見て、交差すると好ましく、直交するとさらに好ましい。
【００２９】
交差部６は、複数の鉄筋等の高剛性の部材からなり、接合部３の接合ループ部３ａと被接合部５の被接合ループ部５ａに交差するように設置される。交差部６を設置することで剛性を高めることが可能となる。
【００３０】
接合充填部７には、充填材が接合部３の接合ループ部３ａと被接合部５の被接合ループ部５ａを含むように充填される。充填材は、コンクリート、モルタル等、接合及び被接合部材と同等の剛性を発言し固化する材料とする。
【００３１】
図２は、第１実施形態のコンクリート部材の接合構造１の接合充填部７充填前の状態を示す。
【００３２】
図２（ｂ）に示すように、第１部材２と第２部材４は、接合部３の接合ループ部３ａと被接合部５の被接合ループ部５ａが、各ループ部３ａ，５ａが形成する仮想面に対して直交する方向から見て、交差する方向に突出し、それぞれ並列するように設置される。第１部材２と第２部材４は、交互に配置されると好ましい。また、接合部３の接合ループ部３ａの第１突出方向Ａと被接合部５の被接合ループ部５ａの第２突出方向Ｂは、直交することが好ましい。
【００３３】
なお、接合部３の接合ループ部３ａと被接合部５の被接合ループ部５ａは、図２（ａ）に示すように上方から見た場合に、平行で等間隔に並べると好ましいが、多少ずれてもよい。また、第１部材２と第２部材４は、予め工場等で製作されて現場に運搬されると、現場での施工時間が短くでき好ましいが、現場で製作されてもよい。
【００３４】
第１部材２と第２部材４を、図２に示すように設置した後、図１に示す例では、接合部３及び被接合部５に交差するように交差部６を設置する。
【００３５】
その後、第１コンクリート部２ａの上方と第２コンクリート部４ａの側方で、接合部３の接合ループ部３ａと被接合部５の被接合ループ部５ａを含むように、コンクリート等の充填材を充填し、接合充填部７を形成する。
【００３６】
このように、設置工程及び設置時間を減らしながら、コンクリート製の部材を的確且つ強固に接合することが可能なコンクリート部材の接合構造を提供することが可能となる。また、接合部の突出方向を交差させ、鉛直方向と水平方向に部材の接合を可能とすることにより、設計及び施工の自由度を向上させることが可能となる。
【００３７】
図３は、第２実施形態のコンクリート部材の接合構造１の接合充填部７充填後の状態を示す。
【００３８】
第２実施形態のコンクリート部材の接合構造１は、第１コンクリート部２ａ及びループの閉じた部分が第１コンクリート部２ａから突出して形成される接合部３を有する第１部材２と、第２コンクリート部４ａ及びループの閉じた部分が第２コンクリート部４ａから突出して形成される被接合部５を有する第２部材４と、接合部３と被接合部５の少なくとも一部を含むように充填される接合充填部７と、を備える。
【００３９】
また、図３に示す例では、コンクリート部材の接合構造１は、接合部３及び被接合部５に交差するように設置される交差部６を備える。なお、接合部３は、第１コンクリート部２ａの内部で図示しない鉄筋等の剛性部材と接合されていると好ましい。また、被接合部５は、第２コンクリート部４ａの内部で図示しない鉄筋等の剛性部材と接合されていると好ましい。
【００４０】
第１部材２は、第１コンクリート部２ａから接合部３の一部を突出させて形成される。接合部３は、鉄筋等の高剛性の部材からなり、少なくとも１組の外側接合部３ａ及び内側接合部３ｂを有する。図３に示す例では、接合部３は、第１コンクリート部２ａから上方に突出する５組の近接側接合部３ａ及び遠隔側接合部３ｂを有する。
【００４１】
近接側接合部３ａは、少なくとも一部に近接側接合ループ部３ａ１が形成され、近接側接合ループ部３ａ１が第１コンクリート部２ａから突出する。遠隔側接合部３ｂは、少なくとも一部に遠隔側接合ループ部３ｂ１が形成され、遠隔側接合ループ部３ｂ１が近接側接合ループ部３ａ１の隣に並んで第１コンクリート部２ａから突出する。近接側接合ループ部３ａ１と遠隔側接合ループ部３ｂ１は、上方から見て、平行に設置されると好ましい。また、近接側接合ループ部３ａ１と遠隔側接合ループ部３ｂ１は、上方から見て、面一に設置されるとさらに好ましい。
【００４２】
なお、本発明に係る実施形態の説明中、平行とは完全に平行な場合及び多少ずれていて略平行な場合も含むこととする。また、本実施形態の説明中、面一とは完全に面一な場合及び多少ずれていて略面一な場合も含むこととする。
【００４３】
ここで、ループとは、第１コンクリート部２ａから突出し、所定の位置で折り曲げられ、所定の位置で第１コンクリート部２ａ内に向かう形状である。各ループ部３ａ１，３ｂ１は、第１コンクリート部２ａから露出した部分を示す。各接合ループ部３ａ１，３ｂ１以外の接合部３は、第１コンクリート部２ａ内に設置される。また、各接合ループ部３ａ１，３ｂ１が第１コンクリート部２ａから突出する方向を第１突出方向Ａとする。各接合ループ部３ａ１，３ｂ１の第１突出方向Ａは、平行であると好ましい。
【００４４】
第２部材４は、第２コンクリート部４ａから被接合部５の一部を突出させて形成される。被接合部５は、鉄筋等の高剛性の部材からなる。被接合部５は、少なくとも一部に被接合ループ部５ａが形成され、被接合ループ部５ａが第２コンクリート部４ａから突出する。図３に示す例では、被接合部５は、第２コンクリート部４ａから側方に突出する６組の被接合ループ部５ａを有する。
【００４５】
ここで、ループとは、第２コンクリート部４ａから突出し、所定の位置で折り曲げられ、所定の位置で第２コンクリート部４ａ内に向かう形状である。被接合ループ部５ａは、第２コンクリート部４ａから露出した部分を示す。被接合ループ部５ａ以外の被接合部５は、第２コンクリート部４ａ内に設置される。また、被接合ループ部５ａが第２コンクリート部４ａから突出する方向を第２突出方向Ｂとする。
【００４６】
さらに、近接側接合ループ部３ａ１及び遠隔側接合ループ部３ｂ１の第１突出方向Ａと被接合ループ部５ａの第２突出方向Ｂは、図３（ｂ）に示すように、近接側接合ループ部３ａ１、遠隔側接合ループ部３ｂ１及び被接合ループ部５ａのうち少なくとも１つが形成する仮想面に対して直交する方向から見て、交差すると好ましく、直交するとさらに好ましい。
【００４７】
交差部６は、複数の鉄筋等の高剛性の部材からなり、接合部３の近接側接合ループ部３ａ１及び遠隔側接合ループ部３ｂ１と被接合部５の被接合ループ部５ａに交差するように設置される。交差部６を設置することで剛性を高めることが可能となる。
【００４８】
接合充填部７には、充填材が接合部３の近接側接合ループ部３ａ１及び遠隔側接合ループ部３ｂ１と被接合部５の被接合ループ部５ａを含むように充填される。充填材は、コンクリート、モルタル等、接合及び被接合部材と同等の剛性を発言し固化する材料とする。
【００４９】
図４は、第２実施形態のコンクリート部材の接合構造１の接合充填部７充填前の状態を示す。
【００５０】
図４（ｂ）に示すように、第１部材２と第２部材４は、接合部３の近接側接合ループ部３ａ１及び遠隔側接合ループ部３ｂ１と被接合部５の被接合ループ部５ａが、各ループ部３ａ１，３ｂ１，５ａが形成する仮想面に対して直交する方向から見て、交差する方向に突出し、それぞれ並列するように設置される。第１部材２と第２部材４は、交互に配置されると好ましい。また、接合部３の近接側接合ループ部３ａ１及び遠隔側接合ループ部３ｂ１の第１突出方向Ａと被接合部５の被接合ループ部５ａの第２突出方向Ｂは、直交することが好ましい。
【００５１】
なお、接合部３の近接側接合ループ部３ａ１及び遠隔側接合ループ部３ｂ１と被接合部５の被接合ループ部５ａは、図４（ａ）に示すように上方から見た場合に、平行で等間隔に並べると好ましいが、多少ずれてもよい。また、第１部材２と第２部材４は、予め工場等で製作されて現場に運搬されると、現場での施工時間が短くでき好ましいが、現場で製作されてもよい。
【００５２】
第１部材２と第２部材４を、図４に示すように設置した後、図３に示す例では、接合部３及び被接合部５に交差するように交差部６を設置する。
【００５３】
その後、第１コンクリート部２ａの上方と第２コンクリート部４ａの側方で、接合部３の近接側接合ループ部３ａ１及び遠隔側接合ループ部３ｂ１と被接合部５の被接合ループ部５ａを含むように、コンクリート等の充填材を充填し、接合充填部７を形成する。
【００５４】
このように、設置工程及び設置時間を減らしながら、コンクリート製の部材を的確且つ強固に接合することが可能なコンクリート部材の接合構造を提供することが可能となる。また、接合部の突出方向を交差させ、鉛直方向と水平方向に部材の接合を可能とすることにより、設計及び施工の自由度を向上させることが可能となる。
【００５５】
次に、コンクリート部材の接合構造１を用いた梁２２とスラブ４０の接合構造について説明する。なお、スラブ４０は、複数の面で異なる梁等と接合されるが、ここでは第２実施形態のコンクリート部材の接合構造１を用いて１つの梁２２と接合する部分について説明する。なお、第１実施形態のコンクリート部材の接合構造１を用いて梁２２とスラブ４０を接合してもよい。
【００５６】
図５は、本実施形態のコンクリート部材の接合構造１を用いた梁２２とスラブ４０の接合充填部７０充填前の状態を示す。
【００５７】
本実施形態のコンクリート部材の接合構造１は、梁２２とスラブ４０との接合に用いられる。
【００５８】
本実施形態の梁２２は、梁コンクリート部２２ａ及び上方Ｕに突出する接合部３０を有する。接合部３０は、鉄筋等の高剛性の部材からなり、接合するスラブ４０に近い側の近接側接合部３０ａ及び遠い側の遠隔側接合部３０ｂを有する。
【００５９】
接合部３０の近接側接合部３０ａは、少なくとも一部に近接側接合ループ部３０ａ１が形成され、近接側接合ループ部３０ａ１が梁コンクリート部２２ａから上方に突出する。遠隔側接合部３０ｂは、少なくとも一部に遠隔側接合ループ部３０ｂ１が形成され、遠隔側接合ループ部３０ｂ１が梁コンクリート部２２ａから上方に突出する。近接側接合部３０ａと遠隔側接合部３０ｂは、面一又は略面一に設置されると好ましい。
【００６０】
ここで、ループとは、梁コンクリート部２２ａから突出し、所定の位置で折り曲げられ、所定の位置で梁コンクリート部２２ａ内に向かう形状である。各ループ部３１ａ１，３１ｂ１は、梁コンクリート部２２ａから露出した部分を示す。各ループ部３１ａ１，３１ｂ１以外の接合部３１は、梁コンクリート部２２ａ内に設置され、各ループ部３１ａ１，３１ｂ１を保持する。また、各ループ部３１ａ１，３１ｂ１が梁コンクリート部２２ａから突出する方向を第１突出方向Ａとする。各接合ループ部３ａ１，３ｂ１の第１突出方向Ａは、平行であると好ましい。なお、各接合ループ部３ａ１，３ｂ１は、単一の接合ループ部としてこれを兼ねても良い。
【００６１】
本実施形態のスラブ４０は、水平方向に広がる直方体で形成されるスラブコンクリート部４０ａと、側面から側方に突出する被接合部５０と、を有する。被接合部５０は、鉄筋等の高剛性の部材からなり、梁２２の長手方向に対して交差する方向に突出する。被接合部５０は、少なくとも一部に被接合ループ部５０ａが形成され、被接合ループ部５０ａがスラブコンクリート部４０ａから側方に突出する。
【００６２】
ここで、ループとは、スラブコンクリート部４０ａから突出し、所定の位置で折り曲げられ、所定の位置でスラブコンクリート部４０ａ内に向かう形状である。被接合ループ部５０ａは、スラブコンクリート部４０ａから露出した部分を示す。被接合ループ部５０ａ以外の被接合部５０は、スラブコンクリート部４０ａ内に設置され、被接合ループ部５０ａを保持する。また、被接合ループ部５０ａがスラブコンクリート部４０ａから突出する方向を第２突出方向Ｂとする。
【００６３】
近接側接合ループ部３０ａ１及び遠隔側接合ループ部３０ｂ１の第１突出方向Ａと被接合ループ部５０ａの第２突出方向Ｂは、図５に示すように、近接側接合ループ部３０ａ１、遠隔側接合ループ部３０ｂ１及び被接合ループ部５０ａのうち少なくとも１つが形成する仮想面に対して直交する方向から見て、交差すると好ましく、直交するとさらに好ましい。
【００６４】
本実施形態では、梁コンクリート部２２ａの上面にスラブコンクリート部４０ａの一部を設置する。梁２２とスラブ４０は、梁コンクリート部２２ａの上面から突出した近接側接合ループ部３０ａ１及び遠隔側接合ループ部３０ｂ１とスラブコンクリート部４０ａの側面から突出した被接合ループ部５０ａが、上方から見て、それぞれ並列するように設置される。
【００６５】
なお、近接側接合ループ部３０ａ１及び第１遠隔側接合ループ部３１ｂと第１被接合ループ部５１ａは、上方から見た場合に、平行で等間隔に並べると好ましいが、多少ずれてもよい。また、梁２２とスラブ４０は、予め工場等で製作されて現場に運搬されると、現場での施工時間が短くでき好ましいが、現場で製作されてもよい。
【００６６】
また、コンクリート部材の接合構造１は、接合部３０及び被接合部５０に交差するように設置される第１実施形態で示したような交差部を備えてもよい。なお、接合部３０は、梁コンクリート部２２ａの内部で図示しない鉄筋等の剛性部材と接合されていると好ましい。また、被接合部５０は、スラブ４０の内部で図示しない鉄筋等の剛性部材と接合されていると好ましい。
【００６７】
図６は、本実施形態のコンクリート部材の接合構造１の接合充填部７０充填後の状態を示す。
【００６８】
図５に示すように梁２２にスラブ４０設置した後、図６に示すように、梁コンクリート部２２ａの上面及びスラブコンクリート部４０ａの側面で、近接側接合ループ部３０ａ１及び遠隔側接合ループ部３０ｂ１と被接合ループ部５０ａを含むように、コンクリート等の充填材を充填し、接合充填部７０を形成する。
【００６９】
このように、本実施形態のコンクリート部材の接合構造１によれば、設置工程及び設置時間を減らしながら、コンクリート製の部材を的確且つ強固に接合することが可能となる。また、本実施形態のコンクリート部材の接合構造１によれば、接合部の突出方向を交差させ、鉛直方向と水平方向に部材の接合を可能とすることにより、設計及び施工の自由度を向上させることが可能となる。
【００７０】
次に、コンクリート部材の接合構造１を用いた梁２２と第１スラブ４１及び第２スラブ４２の接合構造について説明する。なお、第１スラブ４１及び第２スラブ４２は、それぞれ複数の面で異なる梁等と接合されるが、ここでは本実施形態のコンクリート部材の接合構造１を用いて１つの梁２２と接合する部分について説明する。
【００７１】
図７は、本実施形態のコンクリート部材の接合構造１の第１接合充填部７１充填前の状態を示す。ここでは、第１スラブ４１と梁２２の接合構造について説明する。
【００７２】
本実施形態のコンクリート部材の接合構造１は、コンクリート部２０の梁２２と第１スラブ４１との接合に用いられる。コンクリート部２０は、建物の柱等になる角柱状の柱状部２１と、柱状部２１から側方に延びる梁２２と、を有する。柱状部２１と梁２２は、図示しない鉄筋等の剛性部材で接合されていると好ましい。ここでは、図７に示す例の第１スラブ４１を梁２２に接続する部分について説明する。
【００７３】
本実施形態の梁２２は、上方に突出する接合部３０を有する。接合部３０は、鉄筋等の高剛性の部材からなり、第１接合部３１と、第２接合部３２と、を含む。第１接合部３１及び第２接合部３２は、梁２２の長手方向に対して交差する方向に面一又は略面一に設置されると好ましい。本実施形態の第１接合部３１及び第２接合部３２は、梁２２の長手方向に対して直交する方向に面一に設置される。
【００７４】
第１接合部３１は、接合する第１スラブ４１に近い側の第１近接側接合部３１ａ及び遠い側の第１遠隔側接合部３１ｂを有する。第２接合部３２は、接合する第２スラブ４２に近い側の第２近接側接合部３２ａ及び遠い側の第１遠隔側接合部３２ｂを有する。なお、第２スラブ４２との接合については、後述する。
【００７５】
第１接合部３１の第１近接側接合部３１ａは、少なくとも一部に第１近接側接合ループ部３１ａが形成され、第１近接側接合ループ部３１ａが梁２２から上方に突出する。第１遠隔側接合部３１ｂは、少なくとも一部に第１遠隔側接合ループ部３１ｂが形成され、第１遠隔側接合ループ部３ｂが梁２２から上方に突出する。第１近接側接合部３１ａと第１遠隔側接合部３１ｂは、面一又は略面一に設置されると好ましい。
【００７６】
ここで、ループとは、梁コンクリート部２２ａから突出し、所定の位置で折り曲げられ、所定の位置で梁コンクリート部２２ａ内に向かう形状である。各ループ部３１ａ１，３１ｂ１は、梁コンクリート部２２ａから露出した部分を示す。各ループ部３１ａ１，３１ｂ１以外の接合部３１は、梁コンクリート部２２ａ内に設置され、各ループ部３１ａ１，３１ｂ１を保持する。また、各ループ部３１ａ１，３１ｂ１が梁コンクリート部２２ａから突出する方向を第１突出方向Ａとする。各接合ループ部３ａ１，３ｂ１の第１突出方向Ａは、上方から見て、平行であると好ましい。なお、各接合ループ部３ａ１，３ｂ１は、単一の接合ループ部としてこれを兼ねても良い。
【００７７】
本実施形態の第１スラブ４１は、平面状の直方体で形成され、各側面に第１被接合部５１を有する。ここでは、図７に示す例において、第１スラブ４１と梁２２との接合について説明する。第１スラブ４１は、少なくとも第１被接合部５１を有する。第１被接合部５１は、鉄筋等の高剛性の部材からなり、梁２２の長手方向に対して交差する方向に突出する。
【００７８】
第１被接合部５１は、少なくとも一部に第１被接合ループ部５１ａが形成され、第１被接合ループ部５１ａが第１スラブコンクリート部４１ａから側方に突出する。
【００７９】
ここで、ループとは、第１スラブコンクリート部４１ａから突出し、所定の位置で折り曲げられ、所定の位置で第１スラブコンクリート部４１ａ内に向かう形状である。第１被接合ループ部５１ａは、第１スラブコンクリート部４１ａから露出した部分を示す。第１被接合ループ部５１ａ以外の第１被接合部５１は、第１スラブコンクリート部４１ａ内に設置される。また、第１被接合ループ部５１ａが第１スラブコンクリート部４１ａから突出する方向を第２突出方向Ｂとする。
【００８０】
第１近接側接合ループ部３１ａ１及び第１遠隔側接合ループ部３１ｂ１の第１突出方向Ａと第１被接合ループ部５１ａの第２突出方向Ｂは、図７に示すように、第１近接側接合ループ部３１ａ１、第１遠隔側接合ループ部３１ｂ１及び第１被接合ループ部５１ａのうち少なくとも１つが形成する仮想面に対して直交する方向Ｃから見て、交差すると好ましく、直交するとさらに好ましい。
【００８１】
本実施形態では、梁２２の上面に第１スラブ４１の一部を設置する。梁２２と第１スラブ４１は、梁２２の上面から突出した第１近接側接合ループ部３１ａ及び第１遠隔側接合ループ部３１ｂと第１スラブ４１の側面から突出した第１被接合ループ部５１ａが、上方から見て、それぞれ並列するように設置される。
【００８２】
なお、第１近接側接合ループ部３１ａ及び第１遠隔側接合ループ部３１ｂと第１被接合ループ部５１ａは、上方から見て、平行で等間隔に並べると好ましいが、多少ずれてもよい。また、梁２２と第１スラブ４１は、予め工場等で製作されて現場に運搬されると、現場での施工時間が短くでき好ましいが、現場で製作されてもよい。
【００８３】
また、コンクリート部材の接合構造１は、第１接合部３１及び第１被接合部５１に交差するように設置される第１実施形態で示したような交差部を備えてもよい。なお、第１接合部３１は、梁コンクリート部２２ａの内部で図示しない鉄筋等の剛性部材と接合されていると好ましい。また、第１被接合部５１は、第１スラブ４１の内部で図示しない鉄筋等の剛性部材と接合されていると好ましい。
【００８４】
図８は、本実施形態のコンクリート部材の接合構造１の第１接合充填部７１の充填後の状態を示す。
【００８５】
図７に示すように梁２２に第１スラブ４１を設置した後、図８に示すように、梁２２の上面及び第１スラブ４１の側面で、第１近接側接合ループ部３１ａ及び第１遠隔側接合ループ部３１ｂと第１被接合ループ部５１ａを含むように、コンクリート等の充填材を充填し、第１接合充填部７１を形成する。同様に、第１スラブ４１の周囲にコンクリート等の充填材を充填する。
【００８６】
このように、本実施形態のコンクリート部材の接合構造１によれば、設置工程及び設置時間を減らしながら、コンクリート製の部材を的確且つ強固に接合することが可能となる。また、本実施形態のコンクリート部材の接合構造１によれば、接合部の突出方向を交差させ、鉛直方向と水平方向に部材の接合を可能とすることにより、設計及び施工の自由度を向上させることが可能となる。
【００８７】
図９は、本実施形態のコンクリート部材の接合構造１の第２スラブ４２設置後の状態を示す。
【００８８】
本実施形態では、第１スラブ４１を設置した後、梁２２の上面に第２スラブ４２を設置する。梁２２と第２スラブ４２は、梁２２の上面から突出した第２近接側接合ループ部３２ａ１及び第２遠隔側接合ループ部３２ｂ１と第２スラブ４２の側面から突出した第２被接合ループ部５２ａが、上方から見て、それぞれ並列するように設置される。
【００８９】
なお、第２近接側接合ループ部３２ａ１及び第２遠隔側接合ループ部３２ｂ１と第２被接合ループ部５２ａは、上方から見て、平行で等間隔に並べると好ましいが、多少ずれてもよい。また、梁２２と第２スラブ４２は、予め工場等で製作されて現場に運搬されると、現場での施工時間が短くでき好ましいが、現場で製作されてもよい。
【００９０】
第２接合部３２の第２近接側接合部３２ａは、少なくとも一部に第２近接側接合ループ部３２ａ１が形成され、第２近接側接合ループ部３２ａ１が梁コンクリート部２２ａから上方に突出する。第２遠隔側接合部３２ｂは、少なくとも一部に第２遠隔側接合ループ部３２ｂ１が形成され、第２遠隔側接合ループ部３２ｂ１が梁コンクリート部２２ａから上方に突出する。第２近接側接合ループ部３２ａ１と第２遠隔側接合ループ部３２ｂ１は、面一又は略面一に設置されると好ましい。
【００９１】
ここで、ループとは、梁２２から突出し、所定の位置で折り曲げられ、所定の位置で梁２２内に向かう形状である。各ループ部３２ａ１，３２ｂ１は、梁２２から露出した部分を示す。各ループ部３２ａ１，３２ｂ１以外の第２接合部３２は、梁２２内に設置される。また、各ループ部３２ａ１，３２ｂ１が梁コンクリート部２２ａから突出する方向を第１突出方向Ａとする。各接合ループ部３ａ１，３ｂ１の第１突出方向Ａは、上方から見て、平行であると好ましい。なお、各接合ループ部３ａ１，３ｂ１は、単一の接合ループ部としてこれを兼ねても良い。
【００９２】
第２スラブ４２は、少なくとも第２被接合部５２を有する。第２被接合部５２は、鉄筋等の高剛性の部材からなり、梁２２の長手方向に対して交差する方向に突出する。
【００９３】
第２被接合部５２は、少なくとも一部に第２被接合ループ部５２ａが形成され、第２被接合ループ部５２ａが第２スラブコンクリート部４２ａから側方に突出する。
【００９４】
ここで、ループとは、第２スラブコンクリート部４２ａから突出し、所定の位置で折り曲げられ、所定の位置で第２スラブコンクリート部４２ａ内に向かう形状である。第２被接合ループ部５２ａは、第２スラブコンクリート部４２ａから露出した部分を示す。第２被接合ループ部５２ａ以外の第２被接合部５２は、第２スラブコンクリート部４２ａ内に設置され、第２被接合ループ部５２ａを保持する。また、第２被接合ループ部５２ａが第２スラブコンクリート部４２ａから突出する方向を第４突出方向Ｄとする。
【００９５】
第２近接側接合ループ部３２ａ１及び第２遠隔側接合ループ部３２ｂ１の第１突出方向Ａと第２被接合ループ部５２ａの第４突出方向Ｄは、図９に示すように、第２近接側接合ループ部３２ａ１、第２遠隔側接合ループ部３２ｂ１及び第２被接合ループ部５２ａのうち少なくとも１つが形成する仮想面に対して直交する方向Ｃから見て、交差すると好ましく、直交するとさらに好ましい。
【００９６】
本実施形態では、梁２２の上面に第２スラブ４２の一部を設置する。梁２２と第２スラブ４２は、梁２２の上面から突出した第２近接側接合ループ部３２ａ及び第２遠隔側接合ループ部３２ｂと第２スラブ４２の側面から突出した第２被接合ループ部５２ａが、上方から見て、それぞれ並列するように設置される。
【００９７】
なお、第２近接側接合ループ部３２ａ及び第２遠隔側接合ループ部３２ｂと第２被接合ループ部５２ａは、平行で等間隔に並べると好ましいが、多少ずれてもよい。また、梁２２と第２スラブ４２は、予め工場等で製作されて現場に運搬されると、現場での施工時間が短くでき好ましいが、現場で製作されてもよい。
【００９８】
また、本実施形態のコンクリート部材の接合構造１は、第２接合部３２及び第２被接合部５２に交差するように設置される第１実施形態で示したような交差部を備えてもよい。なお、第２接合部３２は、梁２２の内部で図示しない鉄筋等の剛性部材と接合されていると好ましい。また、第２被接合部５２は、第２スラブ４２の内部で図示しない鉄筋等の剛性部材と接合されていると好ましい。
【００９９】
図１０は、本実施形態のコンクリート部材の接合構造１の第２接合充填部７２充填後の状態を示す。
【０１００】
図９に示すように梁２２に第２スラブ４２を設置した後、図１０に示すように、梁２２の上面及び第２スラブ４２の側面で、第２近接側接合ループ部３２ａ及び第２遠隔側接合ループ部３２ｂと第２被接合ループ部５２を含むように、コンクリート等の充填材を充填し、第２接合充填部７２を形成する。同様に、第２スラブ４２の周囲にコンクリート等の充填材を充填する。
【０１０１】
このように、本実施形態のコンクリート部材の接合構造１によれば、まず第１スラブ４１を梁２２に設置し、その後第２スラブ４２を梁に設置するというように、部分的且つ段階的に部材の接合を計画することができ、設計及び施工の自由度を向上させることが可能となる。
【０１０２】
以上、本実施形態のコンクリート部材の接合構造１は、第１コンクリート部２ａ及び少なくとも一部が第１コンクリート部２ａから突出して形成される接合部３を有する第１部材２と、第２コンクリート部４ａ及び少なくとも一部が第２コンクリート部４ａから突出して形成される被接合部５を有する第２部材４と、接合部３と被接合部５の少なくとも一部を含むように充填される接合充填部７と、を備え、接合部３は、少なくとも一部に接合ループ部３ａが形成され、被接合部５は、少なくとも一部に被接合ループ部５ａが形成され、接合充填部７内において、接合ループ部３ａが第１コンクリート部２ａから突出する第１突出方向Ａと被接合ループ部５ａが第２コンクリート部４ａから突出する第２突出方向Ｂは、接合ループ部３ａ及び被接合ループ部５ａのうち少なくとも１つが形成する仮想面に直交する方向から見て、交差する。したがって、設置工程及び設置時間を減らしながら、コンクリート製の部材を的確且つ強固に接合することが可能となる。また、接合部の突出方向を交差させ、鉛直方向と水平方向に部材の接合を可能とすることにより、設計及び施工の自由度を向上させることが可能となる。
【０１０３】
また、本実施形態のコンクリート部材の接合構造１は、接合部３の接合ループ部３ａが形成する仮想面と被接合部５の被接合ループ部５ａが形成する仮想面は、それぞれ並列する。したがって、コンクリート製の部材をより的確且つ強固に接合することが可能となる。
【０１０４】
また、本実施形態のコンクリート部材の接合構造１は、接合部３は、少なくとも１組の近接側接合部３ａ及び遠隔側接合部３ｂを有し、近接側接合部３ａは、遠隔側接合部３ｂよりも第２部材４に近い側で少なくとも一部に近接側接合ループ部３ａ１が形成され、遠隔側接合部３ｂは、少なくとも一部に遠隔側接合ループ部３ｂ１が形成され、接合充填部７内において、近接側接合ループ部３ａ１及び遠隔側接合ループ部３ｂ１が第１コンクリート部２ａから突出する第１突出方向と被接合ループ部５ａが第２コンクリート部４ａから突出する第２突出方向は、近接側接合ループ部３ａ１、遠隔側接合ループ部３ｂ１及び被接合ループ部５ａのうち少なくとも１つが形成する仮想面に直交する方向から見て、交差する。したがって、コンクリート製の部材をより強固に接合することが可能となる。
【０１０５】
また、本実施形態のコンクリート部材の接合構造１では、近接側接合ループ部３ａ１と遠隔側接合ループ部３ｂ１は、面一に配置される。したがって、コンクリート製の部材をより的確且つ強固に接合することが可能となる。
【０１０６】
また、本実施形態のコンクリート部材の接合構造１では、第１突出方向Ａと第２突出方向Ｂは、直交する。したがって、鉛直方向と水平方向に部材の接合を可能とすることにより、設計及び施工の自由度を向上させることが可能となる。
【０１０７】
また、本実施形態のコンクリート部材の接合構造１では、接合部３及び被接合部５に交差するように設置される交差部６を備える。したがって、コンクリート製の部材をより的確且つ強固に接合することが可能となる。
【０１０８】
本実施形態のコンクリート部材の接合構造１は、第１部材は、梁２２であり、第１コンクリート部は、梁コンクリート部２２ａからなり、第２部材は、スラブ４０であり、第２コンクリート部は、スラブコンクリート部４０ａからなり、接合ループ部３０ａ１は、梁コンクリート部２２ａの上面から突出して形成され、被接合ループ部５０ａは、スラブコンクリート部４０ａの側面から突出して形成されるしたがって、設置工程及び設置時間を減らしながら、梁２２とスラブ４０を的確且つ強固に接合することが可能となる。
【０１０９】
本実施形態のコンクリート部材の接合構造１は、接合部３０は、少なくとも第１接合部３０ａ及び第２接合部３０ｂを有し、スラブ４０は、少なくとも第１スラブ４１及び第２スラブ４２を有し、第１スラブ４１は、第１スラブコンクリート部４１ａ及び第１スラブコンクリート部４１ａから突出して形成される第１被接合部５１を有し、第２スラブ４２は、第２スラブコンクリート部４２ａ及び第２スラブコンクリート部４２ａから突出して形成される第２被接合部５２を有し、第１接合部３１と第１被接合部５１の少なくとも一部を含むように充填される第１接合充填部７１と、第２接合部３２と第２被接合部５２の少なくとも一部を含むように充填される第２接合充填部７２と、を備え、第１接合部３１は、少なくとも１組の第１近接側接合部３１ａ及び第１遠隔側接合部３１ｂを有し、第１近接側接合部３１ａは、第１遠隔側接合部３１ｂよりも第１スラブ４１に近い側で少なくとも一部に第１近接側接合ループ部３１ａ１が形成され、第１遠隔側接合部３１ｂは、少なくとも一部に第１遠隔側接合ループ部３１ｂ１が形成され、第２接合部３２は、少なくとも１組の第２近接側接合部３２ａ及び第２遠隔側接合部３２ｂを有し、第２近接側接合部３２ａは、第２遠隔側接合部３２ｂよりも第２スラブ４２に近い側で少なくとも一部に第２近接側接合ループ部３２ａ１が形成され、第２遠隔側接合部３２ｂは、少なくとも一部に第２遠隔側接合ループ部３２ｂ１が形成され、第１被接合部５１は、少なくとも一部に第１被接合ループ部５１ａが形成され、第２被接合部５２は、少なくとも一部に第２被接合ループ部５２ａが形成され、第１接合充填部７１内において、第１近接側接合ループ部３１ａ１及び第１遠隔側接合ループ部３１ｂ１が梁コンクリート部２２ａから突出する第１突出方向Ａと第１被接合ループ部５１ａが第１スラブコンクリート部４１ａから突出する第２突出方向Ｂは、第１近接側接合ループ部３１ａ１、第１遠隔側接合ループ部３１ｂ１及び第１被接合ループ部５１ａのうち少なくとも１つが形成する仮想面に直交する方向Ｃから見て、直交し、第１近接側接合ループ部３１ａ１及び第１遠隔側接合ループ部３１ｂ１と第１被接合ループ部５１ａがそれぞれ並列し、第２接合充填部７２内において、第２近接側接合ループ部３２ａ１及び第２遠隔側接合ループ部３２ｂ１が梁コンクリート部２２ａから突出する第１突出方向Ａと第２被接合ループ部５２ａが第２スラブコンクリート部４２ａから突出する第３突出方向Ｄは、第２近接側接合ループ部３２ａ１、第２遠隔側接合ループ部３２ｂ１及び第２被接合ループ部５２ａのうち少なくとも１つが形成する仮想面に直交する方向Ｃから見て、直交し、第２近接側接合ループ部３２ａ１及び第２遠隔側接合ループ部３２ｂ１と第２被接合ループ部５２ａがそれぞれ並列する。したがって、設置工程及び設置時間を減らしながら、梁２２と第１スラブ４１及び第２スラブ４２を的確且つ強固に接合することが可能となる。
【０１１０】
本実施形態のコンクリート部材の接合構造１は、第１近接側接合ループ部３１ａ１、第１遠隔側接合ループ部３１ｂ１、第２近接側接合ループ部３２ａ１及び第２遠隔側接合ループ部３２ｂ１は、面一に設置され、第１被接合ループ部５１ａと第２被接合ループ部５２ａは、面一に設置される。したがって、コンクリート製の部材をより的確且つ強固に接合することが可能となる。
【０１１１】
本実施形態のコンクリート部材の接合構造１を用いたコンクリート部材の接合方法では、梁２２に第１スラブ４１を設置し、第１接合充填部７１が充填された後、梁２２に第２スラブ４２を設置し、第２接合充填部７２を充填する。したがって、部分的且つ段階的に部材の接合を計画することができ、設計及び施工の自由度を向上させることが可能となる。
【０１１２】
以上、本発明の種々の実施形態について説明したが、本発明はこれらの実施形態のみに限られるものではなく、これらの詳細な内容に色々なバリエーションや変更を加えてもよい。また、それぞれの実施形態の構成を適宜組み合わせて構成した実施形態も本発明の範疇となるものである。
【符号の説明】
【０１１３】
１…コンクリート部材の接合構造
２…第１部材
３…接合部
４…第２部材
５…被接合部
６…交差部
７…接合充填部
２０…コンクリート部
２１…柱状部
２２…梁
３０…接合部
３１…第１接合部
３２…第２接合部
４０…スラブ
４１…第１スラブ
４２…第２スラブ
５０…被接合部
５１…第１被接合部
５２…第２被接合部
７０…接合充填部
７１…第１接合充填部
７２…第２接合充填部
【図１】
2020084596.tif 000003
【図２】
2020084596.tif 000004
【図３】
2020084596.tif 000005
【図４】
2020084596.tif 000006
【図５】
2020084596.tif 000007
【図６】
2020084596.tif 000008
【図７】
2020084596.tif 000009
【図８】
2020084596.tif 000010
【図９】
2020084596.tif 000011
【図１０】
2020084596.tif 000012